(57)【要約】【課題】色再現性の向上を図ると共に消費電力の低減や長寿命化を達成することが可能な表示装置、この駆動方法、およびこれを用いた電子機器を提供する。【解決手段】赤色発光素子ＥＬ（ｒ）を設けた赤色画素ａ（Ｒ）と、緑色発光素子ＥＬ（ｇ）を設けた緑色画素ａ（Ｇ）と、同一構造の青色発光素子ＥＬ（ｂ）を設けた２つの青色画素ａ（Ｂ），ａ（Ｄｂ）とを備えている。少なくとも２つの青色画素ａ（Ｂ），ａ（Ｄｂ）のうちの濃青色画素ａ（Ｄｂ）には、光り取り出し側にカラーフィルタ３３（Ｄｂ）を設けたことにより、ｘｙ色度座標系におけるｙ値が異なる青色光ｈ（Ｂ），ｈ（Ｄｂ）が２つの青色画素ａ（Ｂ），ａ（Ｄｂ）から取り出されるようにした。【選択図】図１
2008225179.tif 000002
【特許請求の範囲】
【請求項１】
赤色光を発生する赤色発光素子を設けた赤色画素と、
緑色光を発生する緑色発光素子を設けた緑色画素と、
青色光を発生する同一構造の青色発光素子を設けた２つの青色画素とを備えると共に、
前記２つの青色画素のうちの少なくとも一方における光り取り出し側にカラーフィルタを設けたことにより、ｘｙ色度座標系におけるｙ値が異なる青色光が当該２つの青色画素から取り出される
ことを特徴とする表示装置。
【請求項２】
請求項１記載の表示装置において、
前記赤色画素から取り出される赤色光の色度座標と、前記緑色画素から取り出される緑色光の色度座標と、前記２つの青色画素のうちの一方から取り出される青色光の色度座標との中心方向に、前記２つの青色画素のうちの他方から取り出される青色光の色度座標が位置する
ことを特徴とする表示装置。
【請求項３】
請求項１記載の表示装置において、
前記各発光素子は、有機電界発光素子である
ことを特徴とする表示装置。
【請求項４】
請求項１記載の表示装置において、
前記各発光素子は、それぞれ各色の光を共振させる共振器構造である
ことを特徴とする表示装置。
【請求項５】
赤色光を発生する赤色発光素子を設けた赤色画素と、
緑色光を発生する緑色発光素子を設けた緑色画素と、
青色光を発生する同一構造の青色発光素子を設けた２つの青色画素とを備えると共に、
前記２つの青色画素のうちの少なくとも一方における光り取り出し側にカラーフィルタを設けたことにより、ｘｙ色度座標系におけるｙ値が異なる各青色光が当該２つの青色画素から取り出される表示装置の駆動方法であって、
前記赤色画素と緑色画素と前記２つの青色画素のうちの一方とによって色表現可能な表示においては、これらの３画素のみを用いた表示を行い、
前記赤色画素と緑色画素と前記２つの青色画素とを用いないと色表現できない表示のみにおいて、これらの４画素を用いた表示を行う
ことを特徴とする表示装置の駆動方法。
【請求項６】
赤色光を発生する赤色発光素子を設けた赤色画素と、
緑色光を発生する緑色発光素子を設けた緑色画素と、
青色光を発生する同一構造の青色発光素子を設けた２つの青色画素とを備えると共に、
前記２つの青色画素のうちの少なくとも一方における光り取り出し側にカラーフィルタを設けたことにより、ｘｙ色度座標系におけるｙ値が異なる各青色光が当該２つの青色画素から取り出される表示パネルを用いた
ことを特徴とする電子機器。
【発明の詳細な説明】
【技術分野】
【０００１】
本発明は、表示装置、表示装置の駆動方法、および電子機器に関し、特には有機電界発光素子を配列形成してなる表示装置と、この駆動方法、およびこの表示装置を備えた電子機器に関する。
【背景技術】
【０００２】
フラットパネルディスプレイの一つとして、有機電界発光素子（有機ＥＬ素子）を用いた表示装置（いわゆる有機ＥＬ表示装置）が注目されている。有機電界発光素子は、有機ＥＬ（Electro Luminescence）現象を利用した自発光型の素子であり、これを用いた表示装置は、視野角が広く、消費電力が小さく、かつ軽量である点において優れている。
【０００３】
以上のような表示装置をカラー表示させる構成としては、白色発光の有機電界発光素子にカラーフィルタを組み合わせた構成や、赤（Ｒ）、緑（Ｇ）、青（Ｂ）の各色に発光する有機電界発光素子を基板上に配列させた構成、さらには各色の有機電界発光素子にカラーフィルタを組み合わせた構成がある。
【０００４】
またこの他にも、有機電界発光素子において発生させた各色の発光光を、素子内において共振させて取り出す「光共振器構造（いわゆるマイクロキャビティ構造）」として形成する技術が知られている。光共振器構造を有する有機電界発光素子は、光取り出し効率が向上し、すなわち正面光強度が大きくなると共に色純度が高くなることから、フルカラーの表示装置に適している（例えば、下記特許文献１および特許文献２参照）。
【０００５】
ところで最近では、有機ＥＬ表示装置の実用性が広く認知されたことに伴い、表示性能の向上に対する要望が高まっている。特に色表現域の広さは表示装置の基本性能として重視される。
【０００６】
そこで、白色発光の素子とＲ，Ｇ，Ｂの各色のカラーフィルタとを組み合わせた画素に対して白色光を取り出す画素を追加したＲＧＢＷ方式の表示装置や、Ｒ，Ｇ，Ｂの各色発光素子に対して白色発光素子を追加したＲＧＢＷ方式の表示装置が提案されている。このようなＲＧＢＷ方式によれば、各色についての輝度の向上が図られて正確な色の再現を維持しながらも、パワー効率が改善されるとしている（下記特許文献３参照）。
【０００７】
また、白色発光の有機電界発光素子にＲ，Ｇ，Ｂと共にＣ（シアン）を含む４色のカラーフィルタを組み合わせたＲＧＢＣ方式の表示装置や、Ｒ，Ｇ，Ｂの各色発光素子と各色のカラーフィルタとを組み合わせた画素に対してＧ（緑）の発光素子とＣ(シアン）のカラーフィルタとを組み合わせた画素を追加したＲＧＢＣ方式の表示装置が提案されている。このようなＲＧＢＣ方式によれば、色表現領域が拡大して自然界に存在する色を忠実に再現することができるとしている（下記特許文献４参照）。
【０００８】
【特許文献１】国際公開第ＷＯ０１／０３９５５４号パンフレット
【特許文献２】特開平１０−１７７８９６号公報
【特許文献３】特表２００６−５１２７３２号公報（図４および段落００１８、図７および段落００５９参照）
【特許文献４】特開２００６−１６３４２５号公報（図３０および段落００６０〜００６１、図３５および段落００７１参照）
【発明の開示】
【発明が解決しようとする課題】
【０００９】
以上説明した有機ＥＬ表示装置においては、色再現性の向上と共に、消費電力の低減や長寿命化の達成が望まれている。上述した各構成の表示装置においては、消費電力の低減および寿命特性の向上を充分に図ることができなかった。
【００１０】
そこで本発明は、色再現性の向上を図ると共に消費電力の低減や長寿命化を達成することが可能な表示装置、この駆動方法、およびこれを用いた電子機器を提供することを目的とする。
【課題を解決するための手段】
【００１１】
このような目的を達成するための本発明の表示装置は、赤色光を発生する赤色発光素子を設けた赤色画素、緑色光を発生する緑色発光素子を設けた緑色画素、青色光を発生する同一構造の青色発光素子を設けた２つの青色画素を備えている。そして、２つの青色画素のうちの少なくとも一方における光取り出し側にカラーフィルタを設けた。これにより、ｘｙ色度座標系におけるｙ値が異なる青色光が、当該２つの青色画素から取り出されることを特徴としている。
【００１２】
このような構成においては、ｘｙ色度座標系におけるｙ値の異なる青色光が取り出される２つの青色画素を設けたことにより、ｙ値が低い青色方向に色表現領域が広げられる。しかも、ｙ値が高い青色画素は、カラーフィルタを設けないかまたはカラーフィルタの濃度を低くして光の取り出し効率を上げることができる。このため、色表現領域をｙ値が低い青色方向に広げる必要のない表示の場合には、２つの青色画素のうちｙ値が高く光の取り出し効率が良好な青色画素を選択して用いることにより消費電力が低減される。特に青色発光素子は、必要電流が大きいためこのように２つの青色画素を選択して用いることにより、消費電力が低く抑えられる。
【発明の効果】
【００１３】
以上説明したように本発明によれば、発光素子を備えた表示装置およびこれを用いた電子機器において、色表示領域が広げられて色再現性の向上を図ることが可能になり、さらに加えて消費電力が低く抑えられて発光素子の長寿命化を達成することが可能になる。
【発明を実施するための最良の形態】
【００１４】
以下、本発明の実施の形態について図面を参照して詳細に説明する。
【００１５】
＜表示装置のパネル構成＞
図１は、実施形態の表示装置１の一例を示す図であり、図1（Ａ）は概略構成図、図１（Ｂ）は画素回路の構成図である。ここでは、発光素子として有機電界発光素子ＥＬを用いたアクティブマトリックス方式の表示装置１に本発明を適用した実施形態を説明する。
【００１６】
図１（Ａ）に示すように、この表示装置１は、駆動パネル１０を備えている。駆動パネル１０には、表示領域１０ａとその周辺領域１０ｂとが設定されている。
【００１７】
表示領域１０ａは、複数の走査線３と複数の信号線５とが縦横に配線されており、それぞれの交差部に対応して１つの画素ａが設けられた画素アレイ部として構成されている。特にここでは、赤色光を取り出す赤色画素ａ（Ｒ）、緑色光を取り出す緑色画素ａ（Ｇ）、青色光を取り出す青色画素ａ(Ｂ）、第２の青色光として濃青色光を取り出す濃青色画素ａ（Ｄｂ）の４つを１組とし、複数組が基板２上にマトリックス状に配列されている。これらの各画素ａには有機電界発光素子ＥＬが設けられている。
【００１８】
また周辺領域１０ｂには、走査線３を走査駆動する走査線駆動回路７と、輝度情報に応じた映像信号（すなわち入力信号）を信号線５に供給する信号線駆動回路９とが配置されている。
【００１９】
図１（Ｂ）に示すように、各画素ａに設けられる画素回路は、例えば有機電界発光素子ＥＬ、駆動トランジスタＴｒ１、書き込みトランジスタ（サンプリングトランジスタ）Ｔｒ２、および保持容量Ｃｓで構成されている。そして、走査線駆動回路７による駆動により、書き込みトランジスタＴｒ２を介して信号線５から書き込まれた映像信号が保持容量Ｃｓに保持され、保持された信号量に応じた電流が駆動トランジスタＴｒ１から有機電界発光素子ＥＬに供給され、この電流値に応じた輝度で有機電界発光素子ＥＬが発光する。
【００２０】
尚、以上のような画素回路の構成は、あくまでも一例であり、必要に応じて画素回路内に容量素子を設けたり、さらに複数のトランジスタを設けて画素回路を構成しても良い。また、周辺領域１０ｂには、画素回路の変更に応じて必要な駆動回路が追加される。
【００２１】
＜表示装置の主要構成＞
図２は、上記表示装置１の主要部の断面構成を示す図であり、表示領域における４画素分を示す要部断面構成図である。この図に示すように、表示装置１は、上述した駆動パネル１０に対して封止パネル３０が対向配置され、熱硬化型樹脂などよりなる接着層３５により全面が貼り合わせられている。
【００２２】
駆動パネル１０は、例えばガラスなどの絶縁材料よりなる基板１１を用いて構成されている。この基板１１上には、トランジスタＴｒ、絶縁層１３、駆動配線１５、および平坦化絶縁層１７をこの順に設けられている。そして、この平坦化絶縁膜１７上には、有機電界発光素子ＥＬとして、赤色発光素子ＥＬ（ｒ）、緑色発光素子ＥＬ（ｇ）、および２つの青色発光素子ＥＬ（ｂ）をそれぞれの画素ａに設けている。
【００２３】
各有機電界発光素子ＥＬは、例えば反射電極からなる下部電極２１、主に有機材料を積層してなる各発光機能層２２、および半透過材料からなる上部電極２３で構成されている。これらの有機電界発光素子ＥＬ間は、下部電極２１の周縁を覆うウィンドウ絶縁膜１９によって素子分離されている。
【００２４】
また有機電界発光素子ＥＬの上部は保護膜２５で覆われ、この保護膜２５上に接着層３５を介して封止パネル３０が貼り合わせられている。
【００２５】
封止パネル３０は、ガラスなどの絶縁材料よりなる基板３１を用いて構成されている。この基板３１上における有機電界発光素子ＥＬ側の面上には、有機電界発光素子ＥＬに対向する位置に各色のカラーフィルタ３３が設けられている。また、これらのカラーフィルタ３３間には、ブラックマトリックス（反射光吸収膜）３５が設けられている。
【００２６】
特に本発明においては、上述したような４つの有機電界発光素子ＥＬとカラーフィルタ３３の構成および組み合わせに特徴がある。つまり、赤色発光素子ＥＬ（ｒ）上には赤色フィルタ３３（ｒ）が設けられ、緑色発光素子ＥＬ（ｇ）上には緑色フィルタ３３（ｇ）が設けられ、１つの青色発光素子ＥＬ（ｂ）上には第１の青色フィルタ３３（ｒ）が設けられ、もう１つの青色発光素子ＥＬ（ｂ）上には第２の青色フィルタ３３（Ｄｂ）が設けられているのである。このような組み合わせの具体例に付いては以降に説明する。
【００２７】
＜表示装置の各部材の構成＞
以下、上述した各部材の詳細な構成を説明する。
【００２８】
駆動パネル１０を構成する基板１１上に設けられたトランジスタＴｒは、図１に示した駆動トランジスタや書き込みトランジスタを構成する薄膜トランジスタからなる。これらの薄膜トランジスタの構成は、特に限定されず、例えば、ボトムゲート型でもトップゲート型でも良い。
【００２９】
絶縁膜１３は、例えば酸化シリコンあるいはＰＳＧ（Phos-Silicate Glass ）などよりなる。この絶縁膜１３には図示しない接続孔が、トランジスタＴｒのソース／ドレインに達する状態で設けられている。
【００３０】
配線１５は、例えば厚みが１．０μｍ程度であり、アルミニウム（Ａｌ）もしくはアルミニウム（Ａｌ）―銅（Ｃｕ）合金により構成されていることとする。
【００３１】
平坦化絶縁膜１７は、配線１５を覆う状態で設けられており、トランジスタＴｒおよび配線１５による凹凸を埋め込んで表面平坦に設けられている。この平坦化絶縁膜１７には、配線１３に達する接続孔１７ａが設けられている。
【００３２】
各有機電界発光素子ＥＬの構成は、図２とともに図３の拡大断面図を参照して次のようである。
【００３３】
各有機電界発光素子ＥＬは、上述したように基板１１側から、反射電極からなる下部電極２１、主に有機材料を積層してなる各発光機能層２２、および半透過半反射材料からなる上部電極２３を積層させてなる。下部電極２１および上部電極２３はどちらか一方が陽極として構成され他方が陰極として構成される。ここでは下部電極２１が陽極として構成され、上部電極２３が陰極として構成されることとする。
【００３４】
また下部電極２１は、画素毎にパターン形成され、平坦化絶縁膜１７に設けられた接続孔１７ａを介して配線１５に接続されている。これに対して上部電極２３は、各画素に共通の電極として発光機能層２２上に設けられている。
【００３５】
また各発光機能層２２は、陽極である下部電極２１側から順に、例えば正孔注入層２２-1、正孔輸送層２２-2、発光層２２-3、電子輸送層２２-4、および電子注入層２２-5を積層したものである。これらの層のうち発光層２２-3以外の層は、必要に応じて設ければ良い。このような各発光機能層２２は、各色の有機電界発光素子ＥＬ（ｒ），ＥＬ（ｇ），ＥＬ（ｂ）において、少なくともそれぞれの波長の光を発生させる発光層２２-3が素子毎に選択された材料を用いてパターン形成された各発光機能層２２（ｒ），２２（ｇ），２２（ｂ）として構成されている。この場合、発光層２２-3以外の層は、各画素に共通の層として設けられていて良い。
【００３６】
以上のような積層構造の各有機電界発光素子ＥＬでは、各発光機能層２２（ｒ），２２（ｇ），２２（ｂ）において発生した光を、反射電極からなる下部電極２１と、半透過半反射材料からなる上部電極２３との間で共振させて上部電極２３側から取り出す共振器構造として構成されている。
【００３７】
すなわち、これらの有機電界発光素子ＥＬは、下部電極２１における発光機能層２２側の界面を第１端部Ｐ１、上部電極２３における発光機能層２２側の界面を第２端部Ｐ２とし、発光機能層２２を共振部とした共振器構造を有している。このように共振器構造を有するようにすれば、発光層２２-3で発生した光が多重干渉を起こし、一種の狭帯域フィルタとして作用することにより、半透過半反射材料からなる上部電極２３側から取り出される光のスペクトルの半値幅が減少し、色純度を向上させることができる。また、封止パネル３０側から入射した外光についても多重干渉により減衰させることができ、後述するカラーフィルタ３３、または位相差板および偏光板（図示せず）との組合せにより有機電界発光素子ＥＬにおける外光の反射率を極めて小さくして視認性を高めることができる。
【００３８】
そのためには、共振器の第１端部（反射面）Ｐ１と第２端部（半透過面）Ｐ２との間の光学的距離Ｌは下記の式（１）を満たすようにし、共振器の共振波長（取り出される光のスペクトルのピーク波長）と、取り出したい光のスペクトルのピーク波長とを一致させることが重要である。
【００３９】
【数１】
2008225179.tif 000003
ただし、式（１）中、Ｌは第１端部Ｐ１と第２端部Ｐ２との間の光学的距離、ｍは次数（０または自然数）、Φは第１端部Ｐ１で生じる反射光の位相シフトΦ1と第２端部Ｐ２で生じる反射光の位相シフトΦ2との和（Φ＝Φ1＋Φ2）［ｒａｄ］、λは第２端部Ｐ２の側から取り出したい光のスペクトルのピーク波長をそれぞれ表す。尚、式（１）において、Ｌおよびλは単位が共通すればよいが、例えば（ｎｍ）を単位とする。
【００４０】
このような共振器構造の第１端部Ｐ１を構成する下部電極２１は、できるだけ高い反射率を有するようにすることが発光効率を高める上で望ましい。また、下部電極２１は陽極として用いられるため、仕事関数の比較的大きい金属や金属酸化物などにより構成することが可能である。このような下部電極２１は、積層方向の厚みが３０ｎｍ以上、２０００ｎｍ以下であり、銀合金やアルミニウムとネオジウムの合金膜等を用いて構成される。
【００４１】
一方、共振器構造の第２端部Ｐ２を構成する上部電極２３は、半透過性反射層として用いられ、反射率と透過率との合計がなるべく１００％に近くなる一方、吸収率ができるだけ小さくなるようにすることが吸収による損失を小さくする上で望ましい。また、この上部電極２３は陰極として用いられる電子注入電極であるため、発光機能層２２への電子注入障壁が小さいことが好ましく、仕事関数の小さい金属により構成されていることが望ましい。さらに、上述のように光の吸収による損失を防止できる程度に薄膜であっても、発光機能層２２側に正孔を供給するのに十分な導電性を備えて電極として機能することが必要である。
【００４２】
このような上部電極２３の構成材料としては、例えば、マグネシウム（Ｍｇ），カルシウム（Ｃａ），ナトリウム（Ｎａ）などのアルカリ金属またはアルカリ土類金属と、銀（Ａｇ）とを含む合金よりなる金属薄膜が好ましく、特に、マグネシウム（Ｍｇ）と銀（Ａｇ）とを含む合金よりなる金属薄膜であればより好ましい。マグネシウム（Ｍｇ）と銀（Ａｇ）との合金よりなる金属薄膜は、安定的な真空蒸着が可能であり、かつ、５ｎｍから１０ｎｍ程度の薄膜においても有機電界発光素子を駆動することが可能であるため、光共振器構造における光取り出し側の電極として最適であるからである。また、マグネシウム（Ｍｇ）と銀（Ａｇ）との合金よりなる上部電極２３は、抵抗加熱蒸着のような有機膜に対するダメージの小さい成膜方法で簡便に形成することが可能であるため欠陥が少なく、信頼性の高い発光を得ることができるからである。
【００４３】
そして以上のような下部電極２１と上部電極２３との間に設けられた発光機能層２２を構成する各層は、下層側から次のようである。
【００４４】
正孔注入層２２-1は、正孔注入効率を高めるためのものである。このような正孔注入層２２-1は、例えばヘキサアザトリフェニレン誘導体、芳香族アミン誘導体等のほか、公知の材料からなり、膜厚は一例として４ｎｍ以上１００ｎｍ以下であることとする。
【００４５】
正孔輸送層２２-2は、発光層２２-3への正孔輸送効率を高めるためのものである。このような正孔輸送層２２-2は、例えばビス［（Ｎ−ナフチル）−Ｎ−フェニル］ベンジジン（α−ＮＰＤ）により構成され、膜厚は一例として５ｎｍ以上３００ｎｍ以下であることとする。
【００４６】
発光層２２-3は、電界をかけることにより電子と正孔との再結合が起こり、光を発生するものである。この発光層２２-3は、各色の有機電界発光素子ＥＬ（ｒ），ＥＬ（ｇ），ＥＬ（ｂ）毎にそれぞれ構成が異なっていることとする。
【００４７】
赤色発光素子ＥＬ（ｒ）の発光層２２-3（ｒ）は、例えばＡｌｑ3に２，６−ビス［４−［Ｎ−（４−メトキシフェニル）−Ｎ−フェニル］アミノスチリル］ナフタレン−１，５−ジカルボニトリル（ＢＳＮ−ＢＣＮ）を４０体積％混合したものにより構成されている。膜厚は、一例として１０ｎｍ以上１００ｎｍ以下であることとする。
【００４８】
緑色発光素子ＥＬ（ｇ）の発光層２２-3（ｇ）は、例えばＡｌｑ3 にクマリン６（Ｃｏｕｍａｒｉｎ６）を３体積％混合したものにより構成されている。膜厚は、一例として１０ｎｍ以上１００ｎｍ以下であることとする。
【００４９】
青色発光素子ＥＬ（ｂ）の発光層２２-3（ｂ）は、例えばＡＤＮ（９，１０−ジ（２−ナフチル）アントラセン）にペリレンを１体積％混合したものにより構成されている。膜厚は、一例として１０ｎｍ以上１００ｎｍ以下であることとする。
【００５０】
電子輸送層２２-4は、発光層２２-3への正孔輸送効率を高めるためのものである。このような電子輸送層２２-4は、例えばＡｌｑ3 により構成されて、膜厚は一例として５ｎｍ以上３００ｎｍ以下であることとする。
【００５１】
電子注入層２２-5は、正孔注入効率を高めるためのものである。このような電子注入層２２-5は、例えばリチウム（Ｌｉ），マグネシウム（Ｍｇ）あるいはカルシウム（Ｃａ）などのアルカリ金属またはアルカリ土類金属と、銀（Ａｇ），アルミニウム（Ａｌ）あるいはインジウム（Ｉｎ）などの金属との合金、具体的にはＭｇ−Ａｇ合金により構成されていることが好ましい。また、リチウム（Ｌｉ），マグネシウム（Ｍｇ）あるいはカルシウム（Ｃａ）などのアルカリ金属またはアルカリ土類金属と、フッ素あるいは臭素などのハロゲンまたは酸素との化合物、具体的にはＬｉＦよりなるものも好ましい。さらに、８−キノリノールアルミニウム錯体（Ａｌｑ3 ）などの電子輸送性有機材料にマグネシウム（Ｍｇ）などのアルカリ金属を添加した材料により構成されていてもよい。電子注入層２２-5は、これらのうち２種類以上の膜を積層した構造でもよい。
【００５２】
このような電子注入層２２-5の膜厚は、例えば、ＬｉＦなどのアルカリ金属のハロゲン化物，アルカリ土類金属のハロゲン化物，アルカリ金属の酸化物あるいはアルカリ土類金属の酸化物により構成されている場合、０．３ｎｍ以上１．３ｎｍ以下であることが好ましい。駆動電圧を低くし、発光効率も高めることができるからである。
【００５３】
そして、以上のように構成された有機電界発光素子ＥＬを素子分離するためのウィンドウ絶縁膜１９は、下部電極２１と上部電極２３との絶縁性を確保すると共に、有機電界発光素子ＥＬにおける発光領域の形状（すなわち画素開口）を正確に所望の形状とするためのものである。
【００５４】
このようなウィンドウ絶縁膜１９は、例えばポリイミド等の感光性樹脂により構成されている。そして、下部電極２１の端縁を覆う状態で平坦化絶縁膜１７上に設けられ、下部電極２１の中央を露出させる開口部を有している。またこの開口部内を覆う状態で発光機能層２２が設けられ、発光機能層２２とウィンドウ絶縁膜１７とによって下部電極２１に対して絶縁された状態で上部電極２３が設けられている。
【００５５】
また有機電界発光素子ＥＬを覆う保護層２５は、透明誘電体からなるパッシベーション膜であり、例えば、酸化シリコン（ＳｉＯ2 ），窒化シリコン（ＳｉＮ）などにより構成されている。膜厚は、一例として５００ｎｍ以上１００００ｎｍ以下であることとする。
【００５６】
封止パネル３０を構成する基板３１は、有機電界発光素子ＥＬでの発光光に対して光透過性を有するガラスなどの材料により構成されている。
【００５７】
この基板３１上に設けられた各色のカラーフィルタ３３は、有機電界発光素子ＥＬでの発生光を取り出すと共に、有機発光素子ＥＬおよび画素間の配線において反射した外光を吸収し、コントラストを改善するためのものである。
【００５８】
このうち、赤色フィルタ３３（ｒ）は、赤色発光素子ＥＬ（ｒ）で発生させて共振させた赤色光ｈ（Ｒ）を取り出すと共に、有機発光素子ＥＬおよび画素間の配線において反射した外光を吸収し、コントラストを改善するためのものである。このような赤色フィルタ３３（ｒ）が設けられた画素が、赤色画素ａ（Ｒ）になる。
【００５９】
緑色フィルタ３３（ｇ）は、緑色発光素子ＥＬ（ｇ）で発生させて共振させた緑色光ｈ（Ｇ）を取り出すと共に、有機発光素子ＥＬおよび画素間の配線において反射した外光を吸収し、コントラストを改善するためのものである。このような緑色フィルタ３３（ｇ）が設けられた画素が、緑色画素ａ（Ｇ）になる。
【００６０】
第１の青色フィルタ３３（ｂ）は、青色発光素子ＥＬ（ｂ）で発生させて共振させた青色光ｈ（Ｂ）を取り出すと共に、有機発光素子ＥＬおよび画素間の配線において反射した外光を吸収し、コントラストを改善するためのものである。以下、第１の青色フィルタ３３（ｂ）を単に青色フィルタ３３（ｂ）と記す。このような青色フィルタ３３（ｂ）が設けられた画素が、青色画素ａ（Ｂ）になる。
【００６１】
一方、第２の青色フィルタ３３ｂ（Ｄｂ）は、青色発光素子ＥＬ（ｂ）で発生させて共振させた光のうちから、青色フィルタ３３（ｂ）よりもｘｙ色度座標系におけるｙ値の低い青色光、すなわち濃青色光ｈ（Ｄｂ）を取り出すと共に、有機発光素子ＥＬおよび画素間の配線において反射した外光を吸収し、コントラストを改善するためのものである。以下、第２の青色フィルタ３３（Ｄｂ）を単に濃青色フィルタ３３（Ｄｂ）と記す。そして、このような濃青色フィルタ３３（Ｄｂ）が設けられた画素が、濃青色画素ａ（Ｄｂ）になる。尚、このような濃青色フィルタ３３（Ｄｂ）は、青色フィルタ３３（ｂ）よりもカラーフィルタ濃度を高くするか、あるいは透過スペクトルを変更するなどして構成されている。
【００６２】
図４には、各画素ａ（Ｒ），ａ（Ｇ），ａ（Ｂ），ａ（Ｄｂ）において各色のカラーフィルタを透過して放出される各色光ｈ（Ｒ），ｈ（Ｇ），ｈ（Ｂ），ｈ（Ｄｂ）における各色Ｒ，Ｇ，Ｂ，Ｄｂのｘｙ色度座標を示す。これらの図に示すように、濃青色画素ａ（Ｄｂ）で得られる濃青色Ｄｂは、青色画素ａ（Ｂ）で得られる青色Ｂよりもｘｙ色度座標系におけるｙ値が低ければ良い。
【００６３】
そして図４（Ａ）に示すように、濃青色画素ａ（Ｄｂ）で得られる濃青色Ｄｂは、赤色画素ａ（ｒ）で得られる赤色Ｒ、緑色画素ａ（ｇ）で得られる緑色Ｇ、青色画素ａ（ｂ）で得られる青色Ｂで構成される色表現領域の外側の色であっても良い。
【００６４】
また図４（Ｂ）に示すように、濃青色画素ａ（Ｄｂ）で得られる濃青色Ｄｂは、赤色画素ａ（ｒ）で得られる赤色Ｒ、緑色画素ａ（ｇ）で得られる緑色Ｇ、青色画素ａ（ｂ）で得られる青色Ｂで構成される色表現領域の外側で、この色表現領域の外側であっても良い。
【００６５】
以上のようなカラーフィルタ３３は、それぞれ例えば矩形状で隙間なく形成されている。これらのカラーフィルタ３３は、顔料を混入した樹脂によりそれぞれ構成されており、顔料を選択することにより目的とする赤，緑，青あるいは濃青の波長域における光透過率が高く、他の波長域における光透過率が低くなるように調整されている。
【００６６】
ブラックマトリックス３５は、各カラーフィルタ３３の境界に沿って設けられている。またブラックマトリックス３５は、例えば黒色の着色剤を混入した光学濃度が１以上の黒色の樹脂膜、または薄膜の干渉を利用した薄膜フィルタにより構成されている。このうち黒色の樹脂膜により構成するようにすれば、安価で容易に形成することができるので好ましい。一方、薄膜フィルタは、例えば金属，金属窒化物あるいは金属酸化物よりなる薄膜を１層以上積層し、薄膜の干渉を利用して光を減衰させるものである。このような薄膜フィルタとしては、具体的には、クロムと酸化クロム（ＩＩＩ）（Ｃｒ2 Ｏ3 ）とを交互に積層したものが挙げられる。
【００６７】
尚、以上のようなカラーフィルタ３３およびブラックマトリックス３５は、基板３１のどちら側の面に設けられてもよいが、駆動パネル１０の側に設けられることが好ましい。このような配置状態とすることにより、カラーフィルタ３３およびブラックマトリックス３５が表面に露出せず、接着層３５によって保護することができるからである。
【００６８】
＜表示装置の駆動方法＞
以上のような構成の表示装置1は、次のように駆動する。例えば、図４（Ａ）に示した色度座標系であれば、４画素から放出される各色光ｈのうち、赤色光ｈ（Ｒ）、緑色光ｈ（Ｇ）、青色光ｈ（Ｂ）による色表現可能な表示においては、濃青色光ｈ（Ｄｂ）を使用せず、これらの光が得られる３画素のみを駆動して表示を行う。さらに、濃青色光ｈ（Ｄｂ）を用いないと表現できない表示において、赤色光ｈ（Ｒ）、緑色光ｈ（Ｇ）、濃青色光ｈ（Ｄｂ）による色表現可能な表示においては、青色光ｈ（Ｂ）を使用せず、これらの光が得られる３画素のみを駆動して表示を行う。そして、濃青色光ｈ（Ｄｂ）を用いないと表現できない表示において、緑色光ｈ（Ｇ）、青色光ｈ（Ｂ）、濃青色光ｈ（Ｄｂ）による色表現可能な表示においては、赤色光ｈ（Ｒ）を使用せず、これらの光が得られる３画素のみを駆動して表示を行う。
【００６９】
また、図４（Ｂ）に示した色座標系であれば、赤色光ｈ（Ｒ）、緑色光ｈ（Ｇ）、青色光ｈ（Ｂ）による色表現可能な表示においては、濃青色光ｈ（Ｄｂ）を使用せず、これらの光が得られる３画素のみを駆動して表示を行う。また、濃青色光ｈ（Ｄｂ）を用いないと表現できない表示においては、青色光ｈ（Ｂ）を使用せず、赤色光ｈ（Ｒ）、緑色光ｈ（Ｇ）、濃青色光ｈ（Ｄｂ）の３画素のみを駆動して表示を行う。
【００７０】
＜表示装置の製造方法＞
この表示装置は、例えば次のようにして製造することができる。
【００７１】
先ず、封止パネル用の基板３１の上に、上述した材料よりなるブラックマトリックス３５の材料膜を成膜して所定の形状にパターニングする。次いで、基板３１の上に、赤色フィルタ３３（ｒ）の材料膜をスピンコートなどにより塗布し、フォトリソグラフィ技術によりパターニングして焼成することにより赤色フィルタ３３（ｒ）を形成する。パターニングの際には、赤色フィルタ３３（ｒ）の周縁部がブラックマトリックス３５上に重なるようにする。ブラックマトリックス３５に重ならないように高精度にパターニングすることは難しく、またブラックマトリックス３５上に重なった部分は画像表示に影響を与えないからである。続いて、赤色フィルタ３３（ｒ）と同様にして、緑色フィルタ３３（ｇ）、青色フィルタ３３（ｂ）、および濃青色フィルタ３３（Ｄｂ）を順次形成する。尚、これらのカラーフィルタ３３（ｒ），３３（ｇ），３３（ｂ），３３（Ｄｂ）の形成順は、特に限定されることはない。以上により、封止パネル３０が形成される。
【００７２】
一方、駆動パネル用の基板１１の上に、トランジスタＴｒ、絶縁層１３、および駆動配線１５を順次形成する。次に、例えばスピンコート法により平坦化膜絶縁膜１７を形成し、さらに露光および現像により平坦化絶縁膜１７に接続孔１７ａを形成した後、焼成する。
【００７３】
次いで、例えばスパッタリング法や蒸着法により、平坦化絶縁膜１７上に下部電極２１の材料膜を成膜し、レジストパターンをマスクに用いたエッチングにより所定の形状にパターニングされた下部電極２１を得る。
【００７４】
続いて、下部電極２１を覆う状態で基板１１上の全面に感光性樹脂を塗布し、例えばフォトリソグラフィ法により下部電極２１の中央部を所定形状に開口する形状に成形し、焼成することのよりウィンドウ絶縁膜１９を得る。
【００７５】
その後、例えば蒸着法により、ウィンドウ絶縁膜１９の開口部に対応して、上述した厚みおよび材料よりなる正孔注入層２２-1，正孔輸送層２２-2，発光層２２-3，電子輸送層２２-4，電子注入層２２-5、および上部電極２３を順次成膜する。この際、少なくとも発光層２２-3は、画素毎にそれぞれ選択された材料膜をパターン形成する。また少なくとも陰極２３は全画素に共通の電極として成膜する。以上により、図３に示したような有機電界発光素子ＥＬを形成する。続いて、有機電界発光素子ＥＬ上に、必要に応じて保護層２５を形成する。これにより、駆動パネル１０が形成される。
【００７６】
封止パネル３０および駆動パネル１０を形成したのち、駆動パネル１０における有機電界発光素子ＥＬの形成面側に接着層３５を塗布形成し、この接着層３５を間にして駆動パネル１０と封止パネル３０とを貼り合わせる。以上により、図２に示した表示装置１を完成させる。
【００７７】
以上実施形態で説明した構成の表示装置１においては、赤色画素ａ（Ｒ）および緑色画素ａ（Ｇ）と共に、ｘｙ色座標系においてｙ値の異なる２つの青色画素、すなわち青色画素ａ（Ｂ）と濃青色画素ａ（Ｄｂ）とによって1組の画素が構成されている。これにより、従来では表現できなかった色純度の高い青色（ｙ値が低い青色）を、濃青色画素ａ（Ｄｂ）を使用することによって表現可能になり、色表現領域が広げられて表示装置の性能向上に大きく貢献できる。
【００７８】
しかも、ｙ値が高い青色画素ａ（Ｂ）には、濃度の低い青色フィルタを用いて光の取り出し効率を上げることができる。このため、色表現領域をｙ値が低い青色方向に広げる必要のない場合には、濃青色画素ａ（Ｄｂ）を用いずに、ｙ値が高く光の取り出し効率が良好な青色画素ａ（Ｂ）を選択して用いることにより消費電力が低減される。特に青色発光素子ＥＬ（ｂ）は、必要電流が大きい。このため、このように濃青色画素ａ（Ｄｂ）を用いずに青色画素ａ（Ｂ）を選択して用いることにより、消費電力が低く抑えられる。
【００７９】
つまり、濃青色画素ａ（Ｄｂ）に対する青色画素ａ（Ｂ）の消費電力の優位性は、カラーフィルタ３３の吸収によるロスの違いに起因する。すなわち、カラーフィルタ３３での光損失が少ない青色画素ａ（Ｂ）の発光を最大限利用することが消費電力低減につながるのである。一方で濃青色画素ａ（Ｄｂ）においてはカラーフィルタの特性によって濃青を表現することで、色表現領域を広げることができるのである。
【００８０】
以上の結果、発光素子を備えた表示装置１およびこれを用いた電子機器において、従来のＲＧＢ方式では実現できなかった色純度の高い発光によって色表示領域が広げられて再現性の向上を図ることが可能になるだけではなく、光の取り出し効率を最大限に活かした高効率な発光によって消費電力を低く抑えらることが可能になる。これにより、表示品位の高く、年間消費電力の小さい有機電界発光素子を用いた表示装置を実現することが可能となる。さらに加えて発光素子〔有機電界発光素子）の長寿命化を達成することが可能になる。
【００８１】
また、上記実施形態においては、各有機電界発光素子ＥＬは、共振器構造として構成されているため、発光層２２-3で発生した光が高い取り出し効率で取り出され、正面輝度が大きくなると共に色純度が高くなる。これによっても色表現性能を高めると共に、消費電量を低減することができる。
【００８２】
しかも、開口率に影響するトランジスタＴｒや駆動配線１５などは、有機電界発光素子ＥＬに対して、光の取り出し側と反対側に設けられているため、高い開口率が保持され、表示性能を向上させることができる。そして、トランジスタＴｒとして有機ＴＦＴを用いる場合にも極めて好適である。
【００８３】
尚、上述した実施形態はあくまでも一例であり、本発明は上述した実施形態に限定されることはない。
【００８４】
例えば上述した実施形態においては、各色画素ａの全てにカラーフィルタ３３を設けた構成を説明した。しかしながら、少なくとも青色発光素子ＥＬ（ｂ）を備えた２つの画素のうちの一方に、２つの画素から放出される青色光のｘｙ色度座標系におけるｙ値が変更されるようなカラーフィルタが設けられていれば良い。このため、例えば赤色画素ａ（Ｒ），緑色画素ａ（Ｇ），青色画素ａ（Ｂ）にはカラーフィルタを設けなくても良い。特に、青色画素ａ（Ｂ）にカラーフィルタ３３を設けない構成とすることにより、濃青色画素ａ（Ｄｂ）を用いずに青色画素ａ（Ｂ）を用いた表示を行う場合においての光取り出し効率をさらに向上させることが可能になるため、消費電力を抑える効果が高くなる。
【００８５】
また上述した実施形態においては、表示装置１がアクティブマトリックス駆動方式である場合を説明したが、本発明は単純マトリクス駆動方式の表示装置にも適用可能であり、同様の効果を得ることができる。
【００８６】
さらに、各層の材料構成および膜厚、成膜方法、および成膜条件などは実施形態に記載の構成に限定されるものではなく、他の材料および膜厚としてもよく、または他の成膜方法および成膜条件としてもよい。例えば、駆動パネル側の基板１１は、ガラスのほか、シリコン（Ｓｉ）やプラスチック基板でもよく、また、単純マトリックス駆動方式であれば必ずしも上部に薄膜トランジスタを形成する必要はない。
【００８７】
加えて、上記実施形態においては、表示装置1を構成する各層についての具体的な材料および膜厚を例示して説明したが、説明した全ての層を備える必要はなく、また他の層をさらに備えていてもよい。例えば、保護膜２５は必要に応じて設ければ良い。
【００８８】
また、陽極として用いた下部電極２２は、誘電体多層膜またはＡｌなどの反射膜の上部に透明導電膜を積層した２層構造とすることもできる。この場合、この反射膜の発光機能層２２側の端面が共振部の端部を構成し、透明導電膜は共振部の一部を構成することになる。
【００８９】
一方、陰極として用いた上部電極２３は、半透過性の金属薄膜と透明電極とが発光機能層２２側から順に積層された構造としても良い。この透明電極は、半透過性の金属薄膜の電気抵抗を下げるためのものであり、発光層２２-3で発生した光に対して十分な透光性を有する導電性材料により構成されている。透明電極を構成する材料としては、例えば、ＩＴＯまたはインジウムと亜鉛（Ｚｎ）と酸素とを含む化合物が好ましい。これは、室温で成膜しても良好な導電性を得ることができるからである。透明電極の厚みは、例えば３０ｎｍ以上１０００ｎｍ以下とすることができる。
【００９０】
共振部の端面を構成する第１端部Ｐ１および第２端部Ｐ２は、下部電極２１と発光機能層２２の界面や、発光機能層２２と上部電極２３の界面に設定される場合に限定されることはなく、屈折率の異なる二種類の材料よりなる他の層の界面に形成するようにしてもよい。
【００９１】
例えば、上部電極（陰極）２３が透明電極によって構成されており、この透明電極の発光機能層２２と反対側の端面の反射率が充分に大きい場合であれば、この端面を共振器構造における第２端部Ｐ２として構成することも可能である。この場合、透明電極を大気層に接触させ、透明電極と大気層との境界面の反射率を大きくして、この境界面を第２端部Ｐ２としてもよい。また、接着層３５との境界面での反射率を大きくして、この境界面を第２端部Ｐ２としてもよい。さらに、有機電界発光素子ＥＬを覆うように形成された保護膜２５の境界面での反射率を大きくして、この境界面を第２端部Ｐ２としても良い。
【００９２】
また、以上説明した本発明に係る表示装置は、図５に開示したような、封止された構成のモジュール形状のものをも含む。例えば、画素アレイ部である表示領域１０ａを囲むようにシーリング部４１が設けられ、このシーリング部４１を接着剤として、透明なガラス等の対向部（たとえば上述した封止パネル３０）に貼り付けられ形成された表示モジュールが該当する。尚、表示領域１０ａが形成された表示モジュールとしての駆動パネル１０には、外部から表示領域１０ａ（画素アレイ部）への信号等を入出力するためのフレキシブルプリント基板４３が設けられていても良い。
【００９３】
＜適用例＞
以上説明した本発明に係る表示装置は、図６〜図１０に示す様々な電子機器、例えば、デジタルカメラ、ノート型パーソナルコンピュータ、携帯電話等の携帯端末装置、ビデオカメラなど、電子機器に入力された映像信号、若しくは、電子機器内で生成した映像信号を、画像若しくは映像として表示するあらゆる分野の電子機器の表示装置に適用することが可能である。以下に、本発明が適用される電子機器の一例について説明する。
【００９４】
図６は、本発明が適用されるテレビを示す斜視図である。本適用例に係るテレビは、フロントパネル１０２やフィルターガラス１０３等から構成される映像表示画面部１０１を含み、その映像表示画面部１０１として本発明に係る表示装置を用いることにより作成される。 
【００９５】
図７は、本発明が適用されるデジタルカメラを示す図であり、（Ａ）は表側から見た斜視図、（Ｂ）は裏側から見た斜視図である。本適用例に係るデジタルカメラは、フラッシュ用の発光部１１１、表示部１１２、メニュースイッチ１１３、シャッターボタン１１４等を含み、その表示部１１２として本発明に係る表示装置を用いることにより作製される。
【００９６】
図８は、本発明が適用されるノート型パーソナルコンピュータを示す斜視図である。本適用例に係るノート型パーソナルコンピュータは、本体１２１に、文字等を入力するとき操作されるキーボード１２２、画像を表示する表示部１２３等を含み、その表示部１２３として本発明に係る表示装置を用いることにより作製される。 
【００９７】
図９は、本発明が適用されるビデオカメラを示す斜視図である。本適用例に係るビデオカメラは、本体部１３１、前方を向いた側面に被写体撮影用のレンズ１３２、撮影時のスタート／ストップスイッチ１３３、表示部１３４等を含み、その表示部１３４として本発明に係る表示装置を用いることにより作製される。
【００９８】
図１０は、本発明が適用される携帯端末装置、例えば携帯電話機を示す図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。本適用例に係る携帯電話機は、上側筐体１４１、下側筐体１４２、連結部（ここではヒンジ部）１４３、ディスプレイ１４４、サブディスプレイ１４５、ピクチャーライト１４６、カメラ１４７等を含み、そのディスプレイ１４４やサブディスプレイ１４５として本発明に係る表示装置を用いることにより作製される。
【実施例】
【００９９】
次に、本発明の実施例として上面発光で共振器構造を備えた表示装置を、以下のようにして作製した。
【０１００】
まず、ガラスよりなる駆動パネル用の基板１１上に、陽極となる下部電極２１として、膜厚１００ｎｍのアルミニウム−ネオジウム合金膜を成膜した。次いで、ポリイミドからなる感光性樹脂膜を成膜し、リソグラフィーによって感光性樹脂膜に２ｍｍ×２ｍｍの開口部を設けて下部電極２１を露出させるウィンドウ絶縁膜１９を形成した。
【０１０１】
続いて、下部電極２１の露出部分に対応して開口を有する金属マスクを基板１１に近接して配置し、１０-4Ｐａ以下の真空下での真空蒸着法により、ヘキサアザトリフェニレン誘導体からなる膜厚８ｎｍの正孔注入層２２-1を形成した。続けて、真空蒸着法により、実施形態に示した材料よりなる正孔輸送層２２-2，各発光層２２-3（ｒ），２２-3（ｇ），２２-3（ｂ）、電子輸送層２２-4、および電子注入層２２-5を順に形成し、発光機能層２２を形成した。この際、発光機能層２２の厚みは光共振器構造により取り出し光が効率よく取り出せるように赤色発光素子ＥＬ（ｒ）においては１３０ｎｍ、緑色発光素子ＥＬ（ｇ）において１０５ｎｍ、青色発光素子ＥＬ（ｂ）において８５ｎｍとした。尚、これらの膜厚は、各発光層と電子輸送層によって調整した。
【０１０２】
次に、同じく真空蒸着法により、陰極となる上部電極２３として、膜厚１０ｎｍのマグネシウム（Ｍｇ）と銀（Ａｇ）との共蒸着膜（Ｍｇ：Ａｇ＝１０：１）を形成した。
【０１０３】
以上のようにして、赤色発光素子ＥＬ（ｒ），緑色発光素子ＥＬ（ｇ），２つの青色発光素子ＥＬ（ｂ）を得た。
【０１０４】
次に、各色の有機電界発光素子ＥＬ（ｒ），ＥＬ（ｇ），ＥＬ（ｂ）の色純度を調整するため、各色のカラーフィルタ３３（ｒ），３３（ｇ），３３（ｂ），３３（Ｄｂ）を貼り付けた。この際、赤色発光素子ＥＬ（ｒ）には赤色フィルタ３３（ｒ）を貼り付け、緑色発光素子ＥＬ（ｇ）には緑色フィルタ３３（ｇ）を貼り付け、一方の青色発光素子ＥＬ（ｂ）には青色フィルタ３３（ｂ）を貼り付け、もう一方の青色発光素子ＥＬ（ｂ）には濃青色フィルタ３３（Ｄｂ）を貼り付けた。
【０１０５】
図１１には、ここで用いた各色のカラーフィルタ３３（ｒ），３３（ｇ），３３（ｂ），３３（Ｄｂ）の光透過特性を示す。
【０１０６】
以上により、図２に示した表示装置１において1組となる４色の画素ａ（Ｒ），ａ（Ｇ），ａ（Ｂ），ａ（Ｄｂ）を得た。
【０１０７】
図１２には、上記構成の各画素ａ（Ｒ），ａ（Ｇ），ａ（Ｂ），ａ（Ｄｂ）において、カラーフィルタ３３（ｒ），３３（ｇ），３３（ｂ），３３（Ｄｂ）を透過して取り出される光ｈ（Ｒ），ｈ（ｇ），ｈ（ｂ），ｈ（Ｄｂ）の放射スペクトルを示す。
【０１０８】
下記表１には、各画素から取り出されたこれらの光ｈの色度座標を示す。尚、このｘｙ色度座標は図４で示したパターンに対応する。
【表１】
2008225179.tif 000004
【０１０９】
下記表２には、ＲＧＢ３色表示の表示装置、ＲＧＤｂ３色表示の表示装置および、ＲＧＢＤｂ４色表示の表示装置の各表示方式での色表現範囲を（ｘ，ｙ）色度座標系と（ｕ’，ｖ’）色度座標系とのそれぞれで、ＮＴＳＴ比として求めた値を示す。
【表２】
2008225179.tif 000005
【０１１０】
表２の結果から、ＲＧＢＤｂの４色表示およびＲＧＤｂの３色表示は、ＲＧＢの３色表示よりも色表現範囲が広いことが明らかである。特に人の視覚特性に近い（ｕ’，ｖ’）色度座標系で色表現範囲の広さが認められ、濃青色光ｈ（Ｄｂ）を用いたことによる表示性能の向上が確認された。
【０１１１】
下記表３には、ＲＧＢ３色表示の表示装置、ＲＧＤｂ３色表示の表示装置および、ＲＧＢＤｂ４色表示の表示装置の各表示方式での白色表示における発光効率（必要電流）および消費電力比を示す。尚、白色表示として、色度（ｘ，ｙ）＝（０．２７１８， ０．２７７６）の色温度１２０００Ｋを表示した場合とし、消費電力比はＲＧＤｂの３色表示を１として比較した。
【表３】
2008225179.tif 000006
【０１１２】
表３の結果からわかるように、ＲＧＤｂの３色表示に比較して、ＲＧＢＤｂの４色表示は、ＲＧＢの３色表示と同程度に白色表示の消費電力を２０％低減できる。
【０１１３】
下記表４には、ＲＧＢ３色表示の表示装置、ＲＧＤｂ３色表示の表示装置および、ＲＧＢＤｂ４色表示の表示装置の各表示方式での青色表示における発光効率（必要電流）および消費電力比を示す。尚、青色表示としては、色度（ｘ，ｙ）＝（０．１３３，０．０９５）を表示した場合とし、消費電力比はＲＧＤｂの３色表示を１として比較した。
【表４】
2008225179.tif 000007
【０１１４】
表４の結果からわかるように、青色（Ｂ）の単色に近い表示を行った場合であっても、ＲＧＤｂの３色表示に比較して、ＲＧＢＤｂの４色表示はＲＧＢの３色表示と同程度に青色表示の消費電力を２９％低減できることが確認された。
【０１１５】
以上から、本発明の駆動方式によれば、色度は良いが消費電力的には不利となる濃青色光ｈ（Ｄｂ）を用いた表示を必要最小限にとどめて、これよりもｘｙ色度座標系におけるｙ値が高い青色光ｈ（Ｂ）を最大限に利用することにより、ＲＧＤｂの３色表示に対するＲＧＢＤｂの４色表示の消費電力の優位性が、ＲＧＢの３色表示で表示できる色の領域すべてについて成り立つようになることが確認された。
【図面の簡単な説明】
【０１１６】
【図１】実施形態の表示装置におけるパネル構成の一例を示す図である。
【図２】実施形態の表示装置における主要部を説明する要部断面構成図である。
【図３】実施形態の表示装置に設ける有機電界発光素子の構成図である。
【図４】実施形態の表示装置に設けられる４つの画素の色度図である。
【図５】本発明が適用される封止された構成のモジュール形状の表示装置を示す構成図である。
【図６】本発明が適用されるテレビを示す斜視図である。
【図７】本発明が適用されるデジタルカメラを示す図であり、（Ａ）は表側から見た斜視図、（Ｂ）は裏側から見た斜視図である。
【図８】本発明が適用されるノート型パーソナルコンピュータを示す斜視図である。
【図９】本発明が適用されるビデオカメラを示す斜視図である。
【図１０】本発明が適用される携帯端末装置、例えば携帯電話機を示す図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。
【図１１】各色のカラーフィルタの光透過特性を示す図である。
【図１２】各画素から各色のカラーフィルタ透過して取り出される各色光の放射スペクトルを示す図である。
【符号の説明】
【０１１７】
３３…フィルタ、３３（ｒ）…赤色フィルタ、３３（ｇ）…緑色フィルタ、３３（ｂ）…青色フィルタ、３３（Ｄｂ）…濃青フィルタ、ａ（Ｒ）…赤色画素、ａ（Ｇ）…緑色画素、ａ（Ｂ）…青色画素、ａ（Ｄｂ）…濃青色画素、ＥＬ…有機電界発光素子、ＥＬ（ｒ）…赤色発光素子、ＥＬ（ｇ）…緑色発光素子、ＥＬ（ｂ）…青色発光素子、ｈ（Ｂ）…青色光、ｈ（Ｄｂ）…濃青色光
【図１】
2008225179.tif 000008
【図２】
2008225179.tif 000009
【図３】
2008225179.tif 000010
【図４】
2008225179.tif 000011
【図５】
2008225179.tif 000012
【図６】
2008225179.tif 000013
【図７】
2008225179.tif 000014
【図８】
2008225179.tif 000015
【図９】
2008225179.tif 000016
【図１０】
2008225179.tif 000017
【図１１】
2008225179.tif 000018
【図１２】
2008225179.tif 000019